(57)【要約】【課題】容易かつ確実に封止部材を断熱扉に取り付けることができる冷蔵庫を提供する。【解決手段】開口部が設けられた貯蔵庫２と、開口部に設けられた断熱扉４とを備え、断熱扉４には、開口部を封止する側面封止部材４０が設けられ、側面封止部材４０は、側面封止部材４０から突出する側面取付部４８が断熱扉４に設けられた取付部材３０に着脱自在に取り付けられており、側面取付部４８の背面には、凹部４９が設けられている。【選択図】図３
2020133935.tif 000002
【特許請求の範囲】
【請求項１】
開口部が設けられた貯蔵庫と、前記開口部に設けられた断熱扉とを備え、
前記断熱扉には、前記開口部を封止する封止部材が設けられ、
前記封止部材は、前記封止部材から突出する取付部が前記断熱扉に着脱自在に取り付けられており、
前記取付部の背面には、凹部が設けられている
ことを特徴とする冷蔵庫。
【請求項２】
前記開口部には、一対の前記断熱扉が設けられ、
一対の前記断熱扉は、観音開き式扉であり、
前記各断熱扉の互いに対向している側面には、いずれも取付部材と、
前記各断熱扉が閉じられたときに互いに密着することで前記貯蔵庫を封止する前記封止部材とが設けられ、
前記封止部材は、前記取付部材に設けられた溝に前記取付部がはめ込まれることで前記各断熱扉に取り付けられている
ことを特徴とする請求項１に記載の冷蔵庫。
【請求項３】
前記封止部材は、中空に形成されており、
前記凹部は、前記封止部材の内側面に設けられている
ことを特徴とする請求項１または２に記載の冷蔵庫。
【発明の詳細な説明】
【技術分野】
【０００１】
本発明は、冷蔵庫に関する。
【背景技術】
【０００２】
従来、貯蔵庫と、断熱扉とを備えた冷蔵庫が知られている。このような冷蔵庫の断熱扉には、貯蔵庫を封止するパッキンやガスケットといった封止部材が設けられている。この封止部材には、密閉性を向上させるために中空に形成され、さらに、外部に突出する矢尻形状の取付部が設けられたものが知られている（例えば、特許文献１参照）。このような封止部材は、例えば、清掃作業時において取り外され、当該清掃作業の終了後に再度装着される。この装着時において、封止部材は、取付部の反対側から押圧され、取付部が断熱扉に設けられた溝にはめ込まれることによって、当該断熱扉に取り付けられる。
【先行技術文献】
【特許文献】
【０００３】
【特許文献１】特開２０００−１３０９２０号公報
【発明の概要】
【発明が解決しようとする課題】
【０００４】
しかしながら、中空に形成された封止部材が取り付けられるときにおいては、当該封止部材の内部の空間を挟んで反対側に位置する箇所が押圧される。このため、取付部に対応していない箇所が押圧される場合がある。この場合、取付部が溝部に十分に固定されず、脱落してしまう恐れがあった。
本発明は、容易かつ確実に封止部材を断熱扉に取り付けることができる冷蔵庫を提供することを目的とする。
【課題を解決するための手段】
【０００５】
本発明は、開口部が設けられた貯蔵庫と、前記開口部に設けられた断熱扉とを備え、前記断熱扉には、前記開口部を封止する封止部材が設けられ、前記封止部材は、前記封止部材から突出する取付部が前記断熱扉に着脱自在に取り付けられており、前記取付部の背面には、凹部が設けられていることを特徴とする冷蔵庫を提供する。
【０００６】
本発明は、上記冷蔵庫において、前記開口部には、一対の前記断熱扉が設けられ、一対の前記断熱扉は、観音開き式扉であり、前記各断熱扉の互いに対向している側面には、いずれも取付部材と、前記各断熱扉が閉じられたときに互いに密着することで前記貯蔵庫を封止する前記封止部材とが設けられ、前記封止部材は、前記取付部材に設けられた溝に前記取付部がはめ込まれることで前記各断熱扉に取り付けられていることを特徴とする。
【０００７】
本発明は、上記冷蔵庫において、前記封止部材は、中空に形成されており、前記凹部は、前記封止部材の内側面に設けられていることを特徴とする。
【発明の効果】
【０００８】
本発明によれば、容易かつ確実に封止部材を断熱扉に取り付けることができる。
【図面の簡単な説明】
【０００９】
【図１】本発明の実施形態に係る冷蔵庫の正面図
【図２】断熱扉の斜視図
【図３】図１のＩＩＩ−ＩＩＩ断面図
【図４】断熱扉と、取付部材と、封止部材とを示した分解斜視図
【図５】図４のＶ−Ｖ断面図
【図６】封止部材を示す斜視図
【図７】図６のＶＩＩ−ＶＩＩ断面図
【発明を実施するための形態】
【００１０】
第１の発明は、開口部が設けられた貯蔵庫と、開口部に設けられた断熱扉とを備え、断熱扉には、開口部を封止する封止部材が設けられ、封止部材は、封止部材から突出する取付部が断熱扉に着脱自在に取り付けられており、取付部の背面には、凹部が設けられていることを特徴とする冷蔵庫である。
これによれば、ユーザは、凹部に触れることで封止部材の取付部の背面を知覚する。
このため、ユーザは、封止部材の取付部を背面から押圧することができる。
【００１１】
第２の発明は、開口部には、一対の断熱扉が設けられ、一対の断熱扉は、観音開き式扉であり、各断熱扉の互いに対向している側面には、いずれも取付部材と、各断熱扉が閉じられたときに互いに密着することで貯蔵庫を封止する封止部材とが設けられ、封止部材は、取付部材に設けられた溝に取付部がはめ込まれることで各断熱扉に取り付けられていることを特徴とする冷蔵庫である。
これによれば、ユーザは、凹部に触れることで封止部材の取付部の背面を知覚して、封止部材を背面から押圧する。
このため、溝に取付部を確実に挿入することができ、容易かつ確実に封止部材を断熱扉の側面に取り付けることができる。
【００１２】
第３の発明は、封止部材は、中空に形成されており、凹部は、封止部材の内側面に設けられていることを特徴とする冷蔵庫である。
これによれば、凹部の内部には、埃や塵が溜まることが抑制される。
このため、経年によって、凹部が埋没することを抑制できる。
【００１３】
以下、図面を参照して本発明の実施形態について説明する。
図１は、本発明の実施形態に係る冷蔵庫１の正面図である。
冷蔵庫１は、図１に示すように、縦型の業務用冷蔵庫であり、当該冷蔵庫１は、貯蔵庫２と、複数の断熱扉４と、機械室６とを備えている。
貯蔵庫２は、断熱壁を備えた箱体であり、当該貯蔵庫２は、内部に貯蔵室が設けられ、前面が開口している。また、この貯蔵室内の中央部には、仕切板が設けられており、貯蔵室内は、当該仕切板によって、上下に仕切られている。
【００１４】
複数の断熱扉４は、貯蔵庫２の開口を閉塞する矩形状の扉部材である。本実施形態の冷蔵庫１は、左右方向に配置された一対の断熱扉４を１組として、上下に２組が設けられており、これらの断熱扉４は、互いに一方の側面を隣接させて配置されている。また、各断熱扉４の上面及び下面には、各断熱扉４の他方の側面側に位置する箇所にヒンジ８が設けられている。各一対の断熱扉４は、これらのヒンジ８によって、冷蔵庫１の左右方向に開閉可能となっている。すなわち、各一対の断熱扉４は、観音開き扉となっている。
また、各断熱扉４の前面には、いずれも左右方向において互いに隣接する側面側にハンドル１０が設けられている。
【００１５】
機械室６は、貯蔵庫２の上方に配置されている。当該機械室６の内部には、圧縮機、凝縮器、膨張器、蒸発器等の冷凍サイクルを構成する装置が収められており、これらが駆動することによって、貯蔵室の内部に冷気が送り込まれる。
【００１６】
次いで断熱扉４について詳述する。
図２は、断熱扉４の斜視図である。なお、図２は、断熱扉４の背面側から視た図となっている。また、図３は、図１のＩＩＩ−ＩＩＩ断面図である。
断熱扉４は、図２に示すように、所定の厚さを有した平板状の部材であり、当該断熱扉４の前面と、両側面と、上面と、下面と、背面の外縁とは、いずれもステンレス鋼板等の金属によって一体に形成された扉外装板１２によって構成されている。また、断熱扉４の背面中央部は、硬質樹脂で形成された扉内装板１４によって構成されている。この扉内装板１４は、断熱扉４の背面の外縁よりも、貯蔵室の内部側に突出している。
これらの扉外装板１２、及び扉内装板１４によって囲まれた空間には、図３に示すように、発泡スチロールや硬質ウレタンフォーム等の断熱材１６が充填されている。
なお、扉外装板１２は、金属に限らずＡＢＳ樹脂等の硬質樹脂で形成されていてもよい。
【００１７】
断熱扉４の背面側の外縁には、全周に亘って外縁取付溝１８が設けられている。この外縁取付溝１８の幅寸法は、幅方向における断面視で、開口箇所付近が狭く、断熱扉４の前面側に位置する箇所が広く形成されている。すなわち、外縁取付溝１８は、所謂蟻溝状に形成されている。この外縁取付溝１８には、複数の外縁封止部材２０が取り付けられている。
【００１８】
複数の外縁封止部材２０は、ゴムや軟質ポリ塩化ビニル等の軟質樹脂で形成された、パッキンやガスケットといわれる封止部材である。これらの外縁封止部材２０は、断熱扉４の外縁の各辺に対応するように、いずれも線状に成形されている。各外縁封止部材２０の前面は、当該外縁封止部材２０の全体に亘って滑らかに成形されており、また、各外縁封止部材２０の背面には、当該外縁封止部材２０の全周に亘って外縁取付部２２が設けられている。この外縁取付部２２は、幅方向における断面視で、矢尻形状に成形されており、当該外縁取付部２２の両側面には、いずれも返し部２２Ａが設けられている。
この外縁取付部２２が外縁取付溝１８に挿入されることによって、外縁封止部材２０が扉外装板１２に取り付けられる。このとき、返し部２２Ａは、幅方向に広がり、外縁取付溝１８の開口箇所に係合する。これによって、返し部２２Ａが抜け止めとして作用し、外縁封止部材２０が断熱扉４に確実に固定される。
【００１９】
また、各外縁封止部材２０は、内部に空間を有した中空状に形成されている。この空間内には、各外縁封止部材２０の前面側の全周に亘って、断面矩形状の外縁マグネット収容部２４が設けられている。さらに、この外縁マグネット収容部２４には、４本の棒状の外縁マグネット５０が収容されている。各外縁マグネット５０は、断熱扉４の背面の各辺と同程度の長さを有しており、これらが各辺に沿って各外縁マグネット収容部２４に挿通されている。
【００２０】
また、他方の断熱扉４に隣接する側面側に配置された外縁封止部材２０には、第１外縁ひれ部２６と第２外縁ひれ部２８とが設けられている。
第１外縁ひれ部２６は、外縁封止部材２０の側面から他方の断熱扉４の側面に向かって突出し、後述する取付部材３０に当接している。また、第２外縁ひれ部２８は、外縁封止部材２０の背面から断熱扉４の背面側の外縁に向かって突出し、当該外縁に当接している。
なお、外縁封止部材２０は、上述した線状に限らず、一体に成型された矩形の枠体であってもよい。
【００２１】
次いで、断熱扉４の側面の構成について説明する。
図４は、断熱扉４と、取付部材３０と、側面封止部材４０とを示した分解斜視図であり、図５は、図４のＶ−Ｖ断面図である。
以下、観音開き扉の内、一方の断熱扉４の側面について説明するが、他方の断熱扉４についても同様の構成となっている。
図３に示すように、各断熱扉４の他方の断熱扉４に隣接する側の側面には、取付部材３０を介して側面封止部材４０が設けられている。
【００２２】
取付部材３０は、硬質の樹脂から形成されている。この取付部材３０は、図３に示すように、断熱扉４の側面と同程度の長さを備えたレール状の部材であり、当該取付部材３０は、上下方向が断熱扉４の上下方向に沿うように取り付けられている。また、この取付部材３０の幅寸法は、断熱扉４の側面の幅寸法と同程度に形成されており、当該取付部材３０は、底面３２において、数個所をねじ止めされることによって、断熱扉４の側面に固定されている。このため、断熱扉４の側面、及び取付部材３０の底面３２には、いずれも複数のねじ孔１３、３３が設けられている。
【００２３】
図５に示すように、取付部材３０は、断面が略Ｍ字状に成形されており、当該取付部材３０の断熱扉４の前面側に位置する端部３４は、図３に示すように、断熱扉４の側面に当接し、他方の端部３６は、外縁封止部材２０の側面に当接している。
また、取付部材３０には、当該取付部材３０の上下方向全体に亘って、一対の突出部３８が設けられている。各突出部３８は、他方の断熱扉４の側面に向かっていずれも突出して形成されており、これらの突出部３８は、底面３２を挟んだ箇所に配置されている。これらの突出部３８には、いずれも側面取付溝３９が設けられている。
各側面取付溝３９は、取付部材３０の上下方向全体に亘って設けられており、また、これらの側面取付溝３９の幅寸法は、幅方向における断面視で、開口箇所付近が狭く、断熱扉４の側面側に位置する箇所が広く形成されている。すなわち、側面取付溝３９は、所謂蟻溝状に形成されている。これらの側面取付溝３９には、後述する側面封止部材４０に設けられた側面取付部４８が挿入される。
【００２４】
次いで、側面封止部材４０について説明する。
図６は、側面封止部材４０を示す斜視図であり、図７は、図６のＶＩＩ−ＶＩＩ断面図である。
側面封止部材４０は、ゴムや軟質ポリ塩化ビニル等の軟質樹脂で形成された、パッキンやガスケットといわれる封止部材である。当該側面封止部材４０は、図６に示すように、取付部材３０と同程度の長さを備え、所定の幅を備えている。この側面封止部材４０は、上下方向が断熱扉４の上下方向に沿うように、取付部材３０に取り付けられている。
この側面封止部材４０は、図７に示すように、断面がＬ字状に成形され、当該Ｌ字形状の角部に相当する箇所には、断面が矩形の空間となるように区切られた側面マグネット収容部４１が設けられている。
以下、側面マグネット収容部４１の他方の断熱扉４側に位置する側面を封止面４５とし、側面マグネット収容部４１の断熱扉４の側面側に位置する側面を接続面４７とする。
【００２５】
側面マグネット収容部４１には、棒状の側面マグネット５２が挿通されている。
また、側面マグネット５２が収容された側面マグネット収容部４１の両端は、抜け止め部材５３によって閉塞される。抜け止め部材５３は、断面がＬ字状になるように折り曲げられて形成された板状部材である。この抜け止め部材５３は、一方の端部である差し込み部５３Ａが側面マグネット収容部４１の上下方向の各端部に差し込まれることによって側面封止部材４０に装着され、側面マグネット５２の脱落を防いでいる。
【００２６】
側面マグネット収容部４１の貯蔵庫２側には、第１シール部４２が設けられている。この第１シール部４２は、外縁封止部材２０側に延びており、当該第１シール部４２の先端には、第２シール部４３が設けられている。この第２シール部４３は、貯蔵庫２側に突出した後、他方の断熱扉４側に屈曲して延びている。すなわち、第１シール部４２と、第２シール部４３は、図３に示すように、断面がコ字状となるように形成されている。
また、第２シール部４３の先端部４３Ａは、側面マグネット収容部４１の他方の断熱扉４側に位置する面と同程度の位置まで延びている。
この第２シール部４３の上下方向における長さは、側面封止部材４０の上下方向における長さよりも短く、扉内装板１４の上下方向における長さと同程度の長さとなっている。
【００２７】
また、第１シール部４２の外縁封止部材２０には、ひれ部４４が設けられている。このひれ部４４は、外縁封止部材２０側に延び、その先端が当該外縁封止部材２０の前面に当接されている。
【００２８】
側面マグネット収容部４１の断熱扉４の前面側に位置する箇所には、筒状部４６が設けられている。この筒状部４６は、中空に形成された扁平な筒状であり、当該筒状部４６の幅方向は、側面マグネット収容部４１から、断熱扉４の前面側に向かって延びている。
また、筒状部４６は、封止面４５の断熱扉４の前面側と、接続面４７の中央とを接続することで形成されており、筒状部４６の内部には、当該筒状部４６によって囲まれた空間Ｒが形成されている。以下、筒状部４６の断熱扉４の側面側における側面を筒状部側面４６Ａとし、当該筒状部側面４６Ａに対向する側面を筒状部側面４６Ｂとする。
この筒状部４６が設けられることによって、側面封止部材４０の可撓性が向上し、各断熱扉４が閉止されたときには、各断熱扉４の側面間における密閉性が向上する。
【００２９】
筒状部側面４６Ａの外表面には、側面封止部材４０の上下方向全体に亘って、所定の間隔を空けて一対の側面取付部４８が設けられている。各側面取付部４８は、断熱扉４の側面に向かって突出しており、これらの側面取付部４８は、幅方向における断面視で、矢尻形状に成形されている。また、各側面取付部４８の両側面には、いずれも返し部４８Ａが設けられている。各側面取付部４８は、上述の通り、側面取付溝３９に挿入される。
【００３０】
また、筒状部側面４６Ａの内表面（内側面）には、側面封止部材４０の上下方向全体に亘って、所定の間隔を空けて一対の凹部４９が設けられている。これらの凹部４９は、溝状に形成されており、各凹部４９は、いずれも一対の側面取付部４８に対応する箇所に設けられている、すなわち、各凹部４９は、各側面取付部４８の背面（裏面）に位置する箇所に設けられている。これらの凹部４９が設けられることによって、筒状部４６の厚さ寸法は、全周に亘って略同一となっている。
【００３１】
取付部材３０と、側面封止部材４０との上下方向における両端は、いずれもキャップ６０によって閉塞されている。各キャップ６０は、図４に示すように、取付部材３０と、側面封止部材４０との上下方向における両端を覆う平板部６２と、当該平板部６２の裏面から取付部材３０に向かって突出して形成された当接部６４とを備えている。
【００３２】
各キャップ６０の当接部６４の先端は、取付部材３０の上下方向における端部にそれぞれが当接している。また、各当接部６４の側面封止部材４０側の面には、一対のキャップ取付溝６６が設けられている。各キャップ取付溝６６は、幅方向における断面視で、取付部材３０が備える一対の側面取付溝３９と略同一形状に形成されており、これらのキャップ取付溝６６は、いずれも各側面取付溝３９に連続している。そして、これらのキャップ取付溝６６には、いずれも側面取付部４８が挿入されている。
さらに、各キャップ６０は、当接部６４において、ねじ止めされることによって、断熱扉４の側面に固定されている。このため、断熱扉４の側面、及び各キャップ６０の当接部６４には、いずれもねじ孔１５、６８が設けられている。
【００３３】
次に、本実施形態の作用について説明する。
まず、側面封止部材４０を取付部材３０に取り付ける手順について説明する。
ユーザは、側面封止部材４０の筒状部側面４６Ａを取付部材３０に対向させ、一対の側面取付部４８の先端と、側面取付溝３９の開口箇所とを当接させる。そして、筒状部側面４６Ｂを介して、各側面取付部４８を背面から所定以上の圧力で押圧する。すなわち、ユーザは、筒状部４６を介して各側面取付部４８を押圧する。
【００３４】
このとき、筒状部４６、及び空間Ｒがつぶれ、これによって、筒状部側面４６Ａ、４６Ｂを介して各側面取付部４８が押圧される。そして、各側面取付溝３９に各側面取付部４８のそれぞれが挿入されることによって、側面封止部材４０は、取付部材３０に取り付けられる。このとき、返し部４８Ａが幅方向に広がり、側面取付溝３９の開口箇所に係合する。これによって、返し部４８Ａが抜け止めとして作用し、側面封止部材４０が取付部材３０を介して断熱扉４に確実に固定される。
また、メンテナンス作業を行う場合等において、側面封止部材４０に所定以上の引張力を作用させることで、当該側面封止部材４０を取付部材３０から取り外すことができる。
【００３５】
これによって、側面封止部材４０は、取付部材３０に、固定部材や工具等を用いずに固定される。すなわち、側面封止部材４０は、断熱扉４に着脱自在に取り付けられる。
このため、冷蔵庫１の部品点数を削減することができると共に、当該冷蔵庫１の製造、及びメンテナンス作業を容易に行うことが可能となっている。
【００３６】
また、上述の通り、筒状部側面４６Ａの内表面には、各側面取付部４８の背面に相当する箇所に、いずれも凹部４９が設けられている。ユーザが筒状部４６を介して各側面取付部４８を押圧すると、筒状部４６、及び空間Ｒがつぶれ、筒状部側面４６Ｂを介して各凹部４９に触れることができる。
これによって、ユーザは、側面封止部材４０の背面を知覚することができ、側面封止部材４０を背面から押圧することができる。
このため、各側面取付溝３９に各側面取付部４８をそれぞれ確実に挿入することができ、容易かつ確実に側面封止部材４０を断熱扉４の側面に取り付けることができる。
【００３７】
また、各凹部４９は、いずれも筒状部側面４６Ａの内表面に設けられており、さらに、当該筒状部４６の両端は、キャップ６０によって閉塞されている。これによって、各凹部４９の内部には、埃や塵が溜まることが抑制され、経年によって、各凹部４９が埋没することを抑制することができる。このため、ユーザは、筒状部側面４６Ｂを介して、常に各凹部４９の溝形状を知覚することができる。
【００３８】
冷蔵庫１の一対の断熱扉４が閉止されると、外縁マグネット５０が貯蔵庫２に磁力で引き付けられ、外縁封止部材２０の内、断熱扉４のヒンジ８側の側面と、断熱扉４の上面及び下面に沿った箇所が貯蔵庫２に密着する。
また、各断熱扉４の側面封止部材４０のそれぞれが備える側面マグネット５２同士は、磁力によって、互いに引き付けられる。これによって、各筒状部４６が変形し、各側面マグネット収容部４１が互いに接近する。そして、各封止面４５互いに密着することで、各断熱扉４の側面間が封止される。
【００３９】
また、各封止面４５同士が密着すると、各第２シール部４３の先端部４３Ａ同士が当接する。これによって、各第１シール部４２と各第２シール部４３とによって囲まれた空間Ｓ１が形成される。この空間Ｓ１内の空気が断熱空気層として作用し、側面封止部材４０同士の隙間から貯蔵室の内部に熱が侵入することを抑制すると共に、貯蔵室の内部の冷気が漏出することが抑えられる。
【００４０】
さらに、各断熱扉４の側面には、取付部材３０と、筒状部４６と、第１シール部４２と、ひれ部４４と、外縁封止部材２０とで囲まれた空間Ｓ２が形成されている。
加えて、取付部材３０と、第１外縁ひれ部２６と、第２外縁ひれ部２８と、外縁封止部材２０とで囲まれた空間Ｓ３もまた形成されている。これらの空間Ｓ２、Ｓ３内の空気もまた、断熱空気層として作用する。
これらの断熱空気層によって、断熱扉４の側面と、取付部材３０との間から貯蔵室の内部に熱が侵入することを抑制すると共に、貯蔵室の内部から冷気が漏出することが抑えられる。
【００４１】
上述した実施形態によれば、次のような効果を奏する。
【００４２】
本実施形態の冷蔵庫１は、開口部が設けられた貯蔵庫２と、開口部に設けられた一対の断熱扉４とを備えている。これらの断熱扉４は、観音開き式扉であり、各断熱扉４の互いに対向している側面には、いずれも取付部材３０と、側面封止部材４０とが設けられている。各側面封止部材４０には、いずれも一対の側面取付部４８が設けられており、各側面封止部材４０は、各取付部材３０の側面取付溝３９に各側面取付部４８のそれぞれがはめ込まれることによって、各断熱扉４に取り付けられている。そして、各側面取付部４８の背面には、いずれも凹部４９が設けられている構成とした。
これによって、ユーザは、側面封止部材４０の背面を知覚することができ、側面封止部材４０を背面から押圧することができる。このため、各側面取付溝３９に各側面取付部４８をそれぞれ確実に挿入することができ、容易かつ確実に側面封止部材４０を断熱扉４の側面に取り付けることができる。
【００４３】
また、本実施形態によれば、側面封止部材４０は、中空に形成された筒状部４６を備えており各凹部４９は、筒状部４６の内側面に設けられている構成とした。これによって各凹部４９の内部には、埃や塵が溜まることが抑制され、経年によって、各凹部４９が埋没することを抑制することができる。
【００４４】
上述した実施形態は、本発明の一態様を例示したものであって、本発明の趣旨を逸脱しない範囲で任意に変形、及び応用が可能である。
【００４５】
例えば、外縁封止部材２０を所定の幅を有した形状に成形し、当該外縁封止部材２０の外縁取付部２２の背面に、凹部４９のような溝を設けてもよい。
また例えば、上述した実施形態では、冷蔵庫１を４ドア式の縦型冷蔵庫としたが、これに限らず、アンダーカウンター型の業務用冷蔵庫や、仕切り板などで仕切られることで形成された複数の貯蔵室を備えた家庭用冷蔵庫といった冷蔵庫に適用してもよい。
【符号の説明】
【００４６】
１  冷蔵庫
２  貯蔵庫
４  断熱扉
６  機械室
８  ヒンジ
１０  ハンドル
１２  扉外装板
１４  扉内装板
１６  断熱材
１８  外縁取付溝
２０  外縁封止部材（封止部材）
２２  外縁取付部（取付部）
２２Ａ  返し部
２４  外縁マグネット収容部
２６  第１外縁ひれ部
２８  第２外縁ひれ部
３０  取付部材
３２  底面
３４、３６  端部
３８  突出部
３９  側面取付溝（溝）
４０  側面封止部材（封止部材）
４１  側面マグネット収容部
４２  第１シール部
４３  第２シール部
４３Ａ  先端部
４４  ひれ部
４５  封止面
４６  筒状部
４６Ａ、４６Ｂ  筒状部側面
４７  接続面
４８  側面取付部（取付部）
４８Ａ  返し部
４９  凹部
６０  キャップ
６２  平板部
Ｓ１、Ｓ２、Ｓ３、Ｒ  空間
【図１】
2020133935.tif 000003
【図２】
2020133935.tif 000004
【図３】
2020133935.tif 000005
【図４】
2020133935.tif 000006
【図５】
2020133935.tif 000007
【図６】
2020133935.tif 000008
【図７】
2020133935.tif 000009